(57)【要約】  本発明は、細い棒と、擦弦楽器の弦を擦る１つ以上のストリップ又は髪とを備える、擦弦楽器の弓に関する。弓には、少なくとも１つの照明手段と、照明手段を作動及び制御することができる処理手段と、照明手段に電力を供給する電源電池とが組み込まれており、すべての要素は細い棒に配置されている。【選択図】図１
2021516375.tif 000002
【特許請求の範囲】
【請求項１】
細い棒（１）と、擦弦楽器（３）の弦（３１）を擦る１つ以上のストリップ（２）又は髪とを備えた擦弦楽器の弓であって、
少なくとも１つの照明手段と、前記照明手段を作動及び制御することができる処理手段と、前記照明手段に電力を供給する電源電池（６）とが組み込まれており、すべての前記要素が前記細い棒（１）に配置されることを特徴とする、擦弦楽器の弓。
【請求項２】
前記細い棒（１）に配置され、前記照明手段と前記電源電池（６）との間に介在された手動で作動されるスイッチ（７）が組み込まれており、前記スイッチ（７）が、ユーザの所望通りに前記照明手段を永続的にオン又はオフにすることができ、前記照明手段に対する前記処理手段の作動を抑制することができることを特徴とする、請求項１に記載の擦弦楽器の弓。
【請求項３】
各照明手段がＬＥＤ（４）を備えることを特徴とする、請求項１又は２に記載の擦弦楽器の弓。
【請求項４】
前記処理手段がマイクロプロセッサ（５）を備えることを特徴とする、請求項１〜３のいずれかに記載の擦弦楽器の弓。
【請求項５】
前記処理手段が、前記処理手段自体に事前にプログラムされた反復シーケンスに従って、前記照明手段を作動及び制御することができることを特徴とする、請求項１〜４のいずれかに記載の擦弦楽器の弓。
【請求項６】
サウンド記録手段（８）が組み込まれており、同時に前記処理手段とデータ通信でリンクされていることと、前記処理手段が前記サウンド記録手段（８）から受信したデータに従って前記照明手段を作動及び制御することができることとを特徴とする、請求項１〜４のいずれかに記載の擦弦楽器の弓。
【請求項７】
前記ストリップ（２）又は髪に物理的に結合され、同時に前記処理手段とデータ通信でリンクされた張力記録手段（９）が組み込まれていることと、前記処理手段が前記張力記録手段から受信したデータに従って前記照明手段を作動及び制御することができることとを特徴とする、請求項１〜４のいずれかに記載の擦弦楽器の弓。
【請求項８】
前記処理手段が、Ｗｉ‐Ｆｉ（登録商標）又はＢｌｕｅｔｏｏｔｈ（登録商標）通信能力又は同様の能力を有し、前記処理手段を前記弓の使用に対して遠隔かつ同時に制御及びプログラムできるようにすることを特徴とする、請求項１〜７のいずれかに記載の擦弦楽器の弓。
【請求項９】
前記擦弦楽器（３）がバイオリンであることを特徴とする、請求項１〜８のいずれかに記載の擦弦楽器の弓。
【請求項１０】
前記擦弦楽器（３）がチェロであることを特徴とする、請求項１〜８のいずれかに記載の擦弦楽器の弓。
【請求項１１】
前記擦弦楽器（３）がビオラであることを特徴とする、請求項１〜８のいずれかに記載の擦弦楽器の弓。
【請求項１２】
前記擦弦楽器（３）がコントラバスであることを特徴とする、請求項１〜８のいずれかに記載の擦弦楽器の弓。
【発明の詳細な説明】
【技術分野】
【０００１】
本発明の出願の目的は、擦弦楽器の弓の登録であり、この弓には、これまで使用されてきた技術に対する顕著な革新及び利点が組み込まれている。
【０００２】
より具体的には、本発明は、擦弦楽器の弓の開発を提案し、この弓は、その特定の構成により、娯楽的に有用であり、娯楽産業にも適合された照明特性を、バイオリンなどの擦弦楽器での使用が既知である種類の弓に提供することを可能にする。
【背景技術】
【０００３】
現在の技術水準では、バイオリンなどの擦弦楽器が知られており、弓を使用して楽器の弦自体を擦り演奏することからも知られている。
【０００４】
上記楽器の使用は、それらの既知の音楽的特性に加えられるあるタイプの特性を必要とする傾向がある。
【０００５】
本発明は、娯楽的に有用であり、娯楽産業にも適合された照明特性を、擦弦楽器での使用が既知である種類の弓に提供することを可能にするので、現在の問題の解決及び解消に貢献する。
【発明の概要】
【０００６】
本発明は、細い棒と、擦弦楽器の弦を擦る１つ以上のストリップ又は髪とを備え、少なくとも１つの照明手段と、照明手段を作動及び制御することができる処理手段と、照明手段に電力を供給する電源電池とが組み込まれており、すべての要素が細い棒に配置されることを本質的に特徴とする、擦弦楽器の弓を提供するために開発された。
【０００７】
あるいは、擦弦楽器の弓には、細い棒に配置され、照明手段と電源電池との間に介在された手動で作動されるスイッチが組み込まれており、スイッチは、ユーザの所望通りに照明手段を永続的にオン又はオフにすることができ、照明手段に対する処理手段の作動を抑制することができる。
【０００８】
好ましくは、擦弦楽器の弓では、各照明手段はＬＥＤを備える。
【０００９】
好ましくは、弦楽器の弓では、処理手段はマイクロプロセッサを含む。
【００１０】
あるいは、擦弦楽器の弓では、処理手段は、処理手段自体に事前にプログラムされた反復シーケンスに従って、照明手段を作動及び制御することができる。
【００１１】
あるいは、擦弦楽器の弓には、サウンド記録手段が組み込まれており、同時に処理手段とデータ通信でリンクされており、処理手段は、サウンド記録手段から受信したデータに従って照明手段を作動及び制御することができる。
【００１２】
あるいは、擦弦楽器の弓には、ストリップ又は髪に物理的に結合され、同時に処理手段とデータ通信でリンクされた張力記録手段が組み込まれており、処理手段は、張力記録手段から受信したデータに従って照明手段を作動及び制御することができる。
【００１３】
さらに、擦弦楽器の弓では、処理手段は、Ｗｉ‐Ｆｉ（登録商標）又はＢｌｕｅｔｏｏｔｈ（登録商標）通信能力又は同様の能力を有し、処理手段を弓の使用に対して遠隔かつ同時に制御及びプログラムできるようにする。
【００１４】
好ましくは、擦弦楽器の弓では、擦弦楽器はバイオリンである。
【００１５】
あるいは、擦弦楽器の弓では、擦弦楽器はチェロである。
【００１６】
あるいは、擦弦楽器の弓では、擦弦楽器はビオラである。
【００１７】
あるいは、擦弦楽器の弓では、擦弦楽器はコントラバスである。
【００１８】
本発明のおかげで、例えばバイオリンなどの擦弦楽器での使用が既知である種類の弓に、娯楽的に有用であり、娯楽産業にも適合された照明特性を提供することが可能である。
【００１９】
擦弦楽器の弓の他の特徴及び利点は、添付の図面において非限定的な例として示される、好ましいが限定的ではない実施形態の説明に照らして明らかになるであろう。
【図面の簡単な説明】
【００２０】
【図１】本発明の擦弦楽器の弓の好ましい実施形態の概略図である。
【発明を実施するための形態】
【００２１】
図１に概略的に示すように、提案された発明の擦弦楽器の弓は、最新技術の既知の様式で、細い棒１と、同じ楽器３の弦３１を擦る１つ又はいくつかのストリップ２又は髪とを備える。
【００２２】
図１に示すこの好ましい実施形態では、擦弦楽器３はバイオリンである。図１に示さない他の好ましい実施形態では、擦弦楽器３は、例えば、チェロ、ビオラ、若しくはコントラバス、又は最新技術で既知の他の任意の擦弦楽器であり得る。
【００２３】
すでに本発明自体に従って、本発明の擦弦楽器の弓には、細い棒１に配置された少なくとも１つの照明手段と、上記照明手段を作動及び制御することができる処理手段と、照明手段に電力を供給することができる電源電池６とが組み込まれている。
【００２４】
この好ましい実施形態では、複数の照明手段が含まれ、各照明手段はＬＥＤ４であり、処理手段はマイクロプロセッサ５を備える。
【００２５】
ＬＥＤ４及びマイクロプロセッサ５の両方、並びに電源電池６は、細い棒１に配置され、楽器３の弦３１を擦るときに使用中に本発明の擦弦楽器の弓の動的平衡を変化させないようにする。
【００２６】
電源電池６は、例えば、ＵＳＢコネクタによって再充電可能である。
【００２７】
本発明の擦弦楽器の弓はまた、細い棒１に配置され、ＬＥＤ４と電源電池６との間に介在された手動で作動するスイッチ７を組み込むことができ、したがって、ＬＥＤ４をオン又はオフにすることができる。
【００２８】
手動で作動する上記スイッチ７は、ＬＥＤ４と電源電池６との間に挟み込まれており、そのため、ＬＥＤ４は、ユーザの所望通りに常にオン又はオフのままであることができ、ＬＥＤ４に対するマイクロプロセッサ５の作動を抑制することができる。
【００２９】
マイクロプロセッサ５は、ＬＥＤ４を作動及び制御することができる。ＬＥＤ４をオン及びオフにするこの作動及び制御は、マイクロプロセッサ５自体に組み込まれたプログラミングに従って実行される。
【００３０】
使用されるＬＥＤ４はまた、この目的のためにプログラムされたマイクロプロセッサ５からのその制御に従って、放射光の色を変えることも可能である。
【００３１】
マイクロプロセッサ５はプログラム可能であり、Ｗｉ‐Ｆｉ（登録商標）又はＢｌｕｅｔｏｏｔｈ（登録商標）通信能力又は同様の能力を有することもでき、提案された発明の擦弦楽器の弓の使用に対して遠隔かつ同時にそれらをプログラム及び制御できるようにする。したがって、マイクロプロセッサ５によって使用されるプログラミング、並びにＬＥＤ４をオン及びオフにする際に得られる必然の結果は、本発明の擦弦楽器の弓の使用の最中でも、遠隔で変更することができる。
【００３２】
この意味で、ＬＥＤ４をオン及びオフにすることは、マイクロプロセッサ５自体に事前にプログラムされた特定のリズミカルで反復的なシーケンスに追従し得る。
【００３３】
別の好ましい実施形態では、別のプログラミングに従って、マイクロプロセッサ５は、例えば、擦弦楽器３自体又は擦弦楽器３が組み込まれているオーケストラ全体によって生成される、周囲の音楽メロディーのサウンドリズムに従ってＬＥＤ４を作動及び制御することができる。そうするために、提案された発明の擦弦楽器の弓には、サウンド記録手段８が組み込まれており、同時にマイクロプロセッサ５とデータ通信でリンクされる。サウンド記録手段８によって記録された周囲の音楽メロディーと、それによってマイクロプロセッサ５に通信される表示データとに従って、このマイクロプロセッサ５は、周囲の音楽メロディーのサウンドリズムによるオン及びオフのシーケンスを用いて、ＬＥＤ４をオン及びオフに作動及び制御する。
【００３４】
別の好ましい実施形態では、マイクロプロセッサ５は、楽器３の弓弦３１にストリップ２又は髪によって加えられる圧力の強さに従って、ＬＥＤ４を作動及び制御することができる。そうするために、提案された発明の擦弦楽器の弓には、ストリップ２又は髪に物理的に結合され、同時にマイクロプロセッサ５とデータ通信でリンクされた張力記録手段９が組み込まれている。張力記録手段９によって記録されたストリップ２又は毛髪における張力と、それによってマイクロプロセッサ５に通信される表示データとに従って、このマイクロプロセッサ５は、楽器３の弓弦３１にストリップ２又は髪によって加えられる圧力によるオン及びオフのシーケンスを用いて、ＬＥＤ４をオン及びオフに作動及び制御する。
【００３５】
提案された発明の擦弦楽器の弓は、その異なる好ましい実施形態では、楽器３の弦３１を擦るときに使用中に動的平衡を維持する。
【００３６】
記載された異なる要素間の接続ケーブルは、本発明の擦弦楽器の弓の美観を維持するために、見えないように隠されている。
【００３７】
本発明の擦弦楽器の弓の製造に使用される材料と同様に、詳細、形状、寸法及びその他の二次的要素は、技術的に同等の、本発明の本質的な性質、又は以下に含まれる請求項によって定義される範囲から逸脱しない他のものと適切に置き換えることができる。
【図１】
2021516375.tif 000003
【国際調査報告】
2021516375.tif 000004
2021516375.tif 000005
2021516375.tif 000006
2021516375.tif 000007